(57)【特許請求の範囲】
【請求項１】
被検者に視標を呈示するための視標呈示装置であって、
視標光束を反射する凹面ミラーと、
視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、
前記凹面ミラーと、前記ディスプレイと、を内部に収納する筐体と、
前記筐体の内部に配置された光学部材であって、前記ディスプレイによって出射され、前記凹面ミラーによって反射された視標光束を前記筐体の内部から外部に向けて反射し、前記被検者に視標を呈示するための光学部材と、
前記筐体に設けられ、視標光束を通過させる呈示窓と、
を備え、
前記光学部材の反射面は、前記呈示窓に向けて配置され、視標光束を被検眼に向けて反射させることを特徴とする視標呈示装置。
【請求項２】
被検者に視標を呈示するための視標呈示装置であって、
視標光束を反射する凹面ミラーと、
視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、
前記凹面ミラーと、前記ディスプレイと、を内部に収納する筐体と、
前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、を備え、
前記ディスプレイは、前記筐体内の上方に配置され、下方に向けて前記視標光束を投光し、
前記凹面ミラーは、前記筐体内の下方に配置され、前記ディスプレイからの前記視標光束を上方へ反射し、
前記光学部材は、前記凹面ミラーによって反射され、上方に向かう前記視標光束を、前記被検者に向けて導光させることを特徴とする視標呈示装置。
【請求項３】
被検者に視標を呈示するための視標呈示装置であって、
視標光束を反射する凹面ミラーと、
視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、
前記凹面ミラーと、前記ディスプレイと、を内部に収納する筐体と、
前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、
前記凹面ミラーの上方に配置され、前記凹面ミラーの汚れを抑制するための抑制手段であって、前記ディスプレイから前記視標光束が投光された際に、少なくとも、前記視標光束を透過させる遮蔽手段と、
を備えることを特徴とする視標呈示装置。
【請求項４】
被検者に視標を呈示するための視標呈示装置であって、
視標光束を反射する凹面ミラーと、
視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、
前記凹面ミラーと、前記ディスプレイと、を内部に収納する筐体と、
前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、
前記ディスプレイから出射された前記視標光束が、前記光学部材によって反射されて前記凹面ミラーに向かい、この凹面ミラーを介して、再び前記光学部材によって反射されて、前記被検者に呈示されるような遠用検査用呈示位置と、前記ディスプレイから出射された前記視標光束が、前記光学部材によって前記被検者に向かうように反射されて、前記被検者に呈示されるような近用検査用呈示位置と、の間で前記ディスプレイの位置を切り換える遠近切換手段と、
を備えることを特徴とする視標呈示装置。
【請求項５】
請求項１〜４のいずれかの視標呈示装置において、
前記光学部材を駆動可能に保持する駆動手段をさらに備え、
前記駆動手段は、前記光学部材を駆動し、前記凹面ミラーによって反射された前記視標光束を被検者に導光する際の光路を変更することを特徴とする視標呈示装置。
【請求項６】
請求項１〜５のいずれかの視標呈示装置において、
前記光学部材は、前記ディスプレイによって出射された視標光束を前記凹面ミラーに向けて反射させ、前記凹面ミラーによって反射された視標光束を前記筐体の内部から外部に向けて導光し、前記被検者に視標を呈示することを特徴とする視標呈示装置。
【発明の詳細な説明】
【技術分野】
【０００１】
本発明は、視機能検査のための検査視標を呈示する視標呈示装置に関する。
【背景技術】
【０００２】
被検者に検眼視標を呈示する視標呈示装置としては、例えば、チャート板を照らすことによって形成された視標光束を凹面鏡及びビームスプリッタを介して、呈示窓から検査視標を呈示する視標呈示装置が知られている（特許文献１参照）。このような装置において、例えば、チャート板を通過した視標光束は、ビームスプリッタを通過して凹面鏡で反射された後、ビームスプリッタによって反射され、被検眼に導光される。
【先行技術文献】
【特許文献】
【０００３】
【特許文献１】特開２０１０−０２８０６８号公報
【発明の概要】
【発明が解決しようとする課題】
【０００４】
ところで、従来の装置において、チャート板の代わりにディスプレイを用いた場合、被検者に呈示される視標光束の光量の減少等によって、検査精度に問題が生じることがあった。
【０００５】
本開示は、上記問題点を鑑み、視標を表示するディスプレイを使用した構成で、省スペース化を図りつつ、良好な検査を行うための視標呈示が行える省スペース型の視標呈示装置を提供することを技術課題とする。
【課題を解決するための手段】
【０００６】
上記課題を解決するために、本発明は以下のような構成を備えることを特徴とする。
【０００７】
（１）  被検者に視標を呈示するための視標呈示装置であって、視標光束を反射する凹面ミラーと、視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、前記凹面ミラーと、前記ディスプレイと、を内部に収納する筐体と、前記筐体の内部に配置された光学部材であって、前記ディスプレイによって出射され、前記凹面ミラーによって反射された視標光束を前記筐体の内部から外部に向けて反射し、前記被検者に視標を呈示するための光学部材と、前記筐体に設けられ、視標光束を通過させる呈示窓と、を備え、前記光学部材の反射面は、前記呈示窓に向けて配置され、視標光束を被検眼に向けて反射させることを特徴とする。
（２）  被検者に視標を呈示するための視標呈示装置であって、視標光束を反射する凹面ミラーと、視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、前記凹面ミラーと、前記ディスプレイと、を内部に収納する筐体と、前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、を備え、前記ディスプレイは、前記筐体内の上方に配置され、下方に向けて前記視標光束を投光し、前記凹面ミラーは、前記筐体内の下方に配置され、前記ディスプレイからの前記視標光束を上方へ反射し、前記光学部材は、前記凹面ミラーによって反射され、上方に向かう前記視標光束を、前記被検者に向けて導光させることを特徴とする。
（３）  被検者に視標を呈示するための視標呈示装置であって、視標光束を反射する凹面ミラーと、視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、前記凹面ミラーと、前記ディスプレイと、を内部に収納する筐体と、前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、前記凹面ミラーの上方に配置され、前記凹面ミラーの汚れを抑制するための抑制手段であって、前記ディスプレイから前記視標光束が投光された際に、少なくとも、前記視標光束を透過させる遮蔽手段と、を備えることを特徴とする。
（４）  被検者に視標を呈示するための視標呈示装置であって、視標光束を反射する凹面ミラーと、視標光束を投光するためのディスプレイであって、ディスプレイの画面に対する法線方向を前記凹面ミラーの光軸に対して傾斜させて配置され、視標光束を前記凹面ミラーの光軸に対してずらして入射させるためのディスプレイと、前記凹面ミラーと、前記ディスプレイと、を内部に収納する筐体と、前記筐体の内部に配置された光学部材であって、前記ディスプレイによって出射され、前記凹面ミラーによって反射された視標光束を前記筐体の内部から外部に向けて導光し、前記被検者に視標を呈示するための光学部材と、前記ディスプレイから出射された前記視標光束が、前記光学部材によって反射されて前記凹面ミラーに向かい、この凹面ミラーを介して、再び前記光学部材によって反射されて、前記被検者に呈示されるような遠用検査用呈示位置と、前記ディスプレイから出射された前記視標光束が、前記光学部材によって前記被検者に向かうように反射されて、前記被検者に呈示されるような近用検査用呈示位置と、の間で前記ディスプレイの位置を切り換える遠近切換手段と、を備えることを特徴とする。
【図面の簡単な説明】
【０００８】
【図１】本実施例の視標呈示装置の外観図を示している。
【図２】本実施例の光学系を示す概略図である。
【図３】本実施例の制御系を示すブロック図である。
【図４】視標呈示装置の光学系の一例を示す図である。
【図５】遠近切換部の一例を示す概略図である。
【図６】遠近切換部の一例を示す概略図である。
【図７】近用検査時に視標呈示装置を被検者側から見たときの概略図である。
【図８】遠近切換部の一例を示す概略図である。
【図９】本実施例の視標呈示装置の変容例を示す図である。
【図１０】本実施例の視標呈示装置の変容例を示す図である。
【図１１】本実施例の視標呈示装置の変容例を示す図である。
【発明を実施するための形態】
【０００９】
＜概要＞
以下、本発明に係る実施例の概要を図面に基づいて説明する。図１〜図８は本実施形態に係る視標呈示装置の構成について説明する図である。
【００１０】
本実施例の視標呈示装置（以下、本装置１と略す場合もある）１は、視力検査のための検査視標を被検者に呈示するための装置である。視標呈示装置１は、凹面ミラー２２と、ディスプレイ２１と、筐体２と、光学部材２３を主に備える（図１および図２参照）。
【００１１】
凹面ミラー２２は、ディスプレイ２１からの視標光束を反射する。ディスプレイ２１と被検眼Ｅとの距離を遠用検査距離に設定する。遠用検査距離は、被検眼Ｅの遠用視力を検査するときに必要な距離であって、例えば、５〜７ｍ前後である。
【００１２】
ディスプレイ２１は、被検眼Ｅに対して視標光束を呈示する。ディスプレイ２１は、例えば、遠用検査視標、近用検査視標等の視標を表示する。ディスプレイ２１は、例えば、ＬＣＤ（Liquid Crystal Display）や有機ＥＬ（Electro Luminescence）等であってもよい。ディスプレイ２１は、ディスプレイ２１の画面に対する法線方向を、凹面ミラー２２の光軸Ｏ１に対して傾斜させて配置されてもよい。例えば、ディスプレイ２１は、凹面ミラー２２の光軸Ｏ１に対して視標光束の光軸Ｌ１が傾斜するように、視標光束を出射してもよい。例えば、ディスプレイ２１は、視標光束を凹面ミラー２２の光軸Ｏ１に対してずらして入射されてもよい。例えば、ディスプレイ２１は、凹面ミラー２２の反射面と光軸Ｏ１との交点に向けて、光軸Ｏ１に対して斜め方向から視標光束を入射させてもよい。
【００１３】
筐体２は、例えば開口を伴った箱である。筐体２は、例えば、凹面ミラー２２と、ディスプレイ２１と、光学部材２３を内部に収納してもよい。筐体２は、例えば、テーブル等の上に載置できてもよい。
【００１４】
光学部材２３は、例えば、ディスプレイ２１によって出射され、凹面ミラー２２によって反射された視標光束を反射する。光学部材２３は、例えば、視標光束を筐体２の内部から外部に向けて導光し、被検者に視標を呈示する。光学部材２３は、例えば、光の進行方向を変更するものであればよい。光学部材２３は、例えば、全反射ミラー、ハーフミラー、ビームスプリッタ、プリズム等であってもよい。なお、光学部材２１は、例えば、ディスプレイ２１から凹面ミラーに対して、視標光束を投光するために設定された第１光路（例えば、光軸Ｌ１を光軸とする光路）の光路外に配置されてもよい。これによって、ディスプレイ２１の視標光束が光学部材２３によって遮られることを低減できる。
【００１５】
なお、例えば、ディスプレイ２１は、筐体２の内部の上方に配置されてもよい。この場合、ディスプレイ２１は視標光束を下方に向けて投光してもよい。例えば、ディスプレイ２１の画面は、筐体２の内部の下方に向けられてもよい。
【００１６】
さらに、例えば、凹面ミラー２２は、筐体２の内部の下方に配置されてもよい。この場合、凹面ミラー２２は、例えば、筐体２の内部の上方に向けてディスプレイからの視標光束を反射してもよい。例えば、光学部材２３は、凹面ミラー２２によって反射され、上方に向かう視標光束を、被検者に向けて導光させてもよい。このように、ディスプレイ２１と、凹面ミラー２２を上下方向に配置することで、例えば、本装置１の設置スペースを小さくしてもよい。
【００１７】
なお、本実施例のディスプレイ２１は、光学部材２３の被検者側に配置されてもよい。仮に、ディスプレイ２１が光学部材２３の被検者側に配置されていた場合、光学部材２３の上下方向に対する傾斜角度θを大きくする必要がある。このため、光学部材２３によって遮蔽される視標光束の範囲が大きくなってしまう。この場合、視標光束が光学部材２３によって遮蔽されないようにするためには、ディスプレイ２１を光学部材２３から遠ざけて配置する必要がある。したがって、装置が大きくなり、かつ、凹面ミラー２２への入射角度αが大きくなり視標の歪みが大きくなってしまう。以上のように、例えば、ディスプレイ２１から出射される視標光束が光学部材２３によって遮られることを低減しつつ、装置の設置スペースを小さくしてもよい。
【００１８】
なお、本装置１は、駆動ユニット４０を備えてもよい。駆動ユニット４０は、例えば、光学部材２３を駆動可能に保持してもよい。例えば、駆動ユニット４０は、光学部材２３を駆動することによって、凹面ミラー２２によって反射された視標光束を被検者に導光するための光路を変更してもよい。これによって、被検者の目線の高さに合わせて視標光束の光路を調整してもよい。
【００１９】
なお、本装置１は、例えば、抑制ユニット４を備えてもよい。抑制ユニット４は、例えば、凹面ミラー２２の汚れを抑制してもよい。例えば、抑制ユニット４は、遮蔽部材４ａを備えてもよい。遮蔽部材４ａは、例えば、ディスプレイ２１から出射された視標光束を少なくとも透過させることが好ましい。これによって、凹面ミラー２２が汚れてしまい、被検者に呈示される視標に不具合が生じることを低減できる。なお、抑制ユニット４は、ディスプレイ２１によって視標を呈示する際に遮蔽部材４ａを駆動させ、視標光束を妨げない位置に退避させてもよい。
【００２０】
なお、本装置１は、例えば、遠近切換部３０を備えてもよい（図５〜図８参照）。遠近切換部３０は、例えば、遠用検査と近用検査で視標の呈示位置を切り換えることができる。これによって、例えば、共通のディスプレイ２１を用いて、遠用の呈示位置と近用の呈示位置の両方の呈示位置から被検者に対して視標を呈示できる。遠近切換部３０は、例えば、遠用保持部３１と近用保持部３２を備えてもよい。遠用保持部３１は、例えば、ディスプレイ２１を被検眼Ｅ対して遠用視力検査のための呈示位置（遠用の呈示位置）に着脱可能に保持してもよい。近用保持部３２は、例えば、ディスプレイ２１を被検眼Ｅに対して近用視力検査のための呈示位置（近用の呈示位置）に着脱可能に保持してもよい。
【００２１】
なお、本装置１は、前後移動ユニット３４を備えてもよい。前後移動ユニット３４は、例えば、近用保持部３２を被検者に対して前後方向に移動させてもよい。これによって、近用検査時の近用視標の呈示距離を変えてもよい。
【００２２】
なお、本装置１は、上下移動ユニット３７を備えてもよい。上下移動ユニット３７は、例えば、近用保持部を被検者に対して上下方向に移動させてもよい。これによって、近用検査時の近用視標の呈示高さを変更してもよい。
【００２３】
なお、本装置１は、角度調節ユニット３８を備えてもよい。角度調節ユニット３８は、例えば、近用保持部３２を被検者側に向けて旋回させてもよい。角度調節ユニット３８は、近用保持部３２を被検者側に向けて旋回させることによって、近用保持部３２に保持されたディスプレイ２１の画面の角度を変更してもよい。これによって、被検者は、なお、角度調節ユニット３８は、例えば、近用保持部３２を被検者に対して水平軸回りに回転させてもよい。
【００２４】
＜実施例＞
以下、本実施例の視標呈示装置１について説明する。本装置１は、視力検査のための検査視標を被検者に呈示するための装置である。本装置１は、例えば、図１に示すように検眼テーブル５０の上に置いて使用されてもよい。本装置１は、例えば、検眼ユニット１００に対して離れた位置に配置して使用されてもよい。検眼ユニット１００は、例えば、光学素子を有する図示無き回転ディスクを備え、被検眼Ｅの前方に光学素子を切り換え配置するユニットである。
【００２５】
本装置１は、視標呈示光学系２０と筐体２を主に備える。視標呈示光学系２０は、視標光束を被検眼Ｅに導く。筐体２は、視標呈示光学系２０を内部に収納する。
【００２６】
＜筐体＞
本実施例の筐体２は、図２に示すように、ディスプレイ２１、凹面ミラー２２、光学部材２３を内部に収納する。本実施例の筐体２は被検者の上下方向に延びた形状である。筐体２の被検者側には、呈示窓３が設けられる。呈示窓３は、例えば、保護パネル１０によって塞がれ、筐体２の内部に埃などが進入しないようになっている。保護パネル１０は、透明パネル１１と、遮蔽部１２を主に備える。透明パネル１１は、アクリル樹脂やガラス板などの透明部材で構成される。遮蔽部１２は、透明パネル１１の周囲に配置される。透明パネル１１は、筐体２内部の視標呈示光学系２０から出射された視標光束を通過させて、筐体２の外部に出射する。被検者は、透明パネル１１を通過した検査視標を観察することができる。
【００２７】
＜制御部＞
図３は、本装置１の制御ブロック図である。制御部７０には、ディスプレイ２１、コントローラ９０、メモリ７２、等が接続されている。メモリ７２には、ランドルト環視標等の検査視標のデータが多数記憶されている。例えば、視力値０．１〜２．０の視標データ記憶されている。制御部７０は、コントローラ９０からの入力信号に応じて、メモリ７２から該当する視標データを呼び出し、ディスプレイ２１の表示を制御して、ディスプレイ２１の画面上に視標を表示させる。なお、本実施例において、コントローラ９０からの信号は、図示無きケーブルを介して、制御部７０に入力されるが、赤外線等の無線通信により信号が入力される構成としてもよい。
【００２８】
＜視標呈示光学系＞
視標呈示光学系２０は、筐体２内に配置されたディスプレイ２１からの視標光束を凹面ミラー２２及び光学部材２３で反射させて被検眼Ｅに向かわせ、光学的に所定の遠用検査距離（例えば、５ｍの検査距離）で視標を呈示する。視標呈示光学系２０は、例えば、ディスプレイ２１と、凹面ミラー２２と、光学部材２３等を備える。
【００２９】
ディスプレイ２１は、遠用検査視標、近用検査視標等の視標を表示する。例えば、ディスプレイ２１には、ランドルト環視標等の検査視標が表示される。ディスプレイ２１としては、例えば、ＬＣＤ（Liquid Crystal Display）や有機ＥＬ（Electro Luminescence）等が用いられる。本実施例においては、ディスプレイ２１として、ＬＣＤを用いた場合を例に挙げて説明する。凹面ミラー２２は、視標の呈示距離を遠用検査距離に設定する。例えば、凹面ミラー２２は、ディスプレイ２１と被検眼Ｅの光学距離を５ｍの検査距離にするようにその焦点距離が設計されている。光学部材２３は、検査視標を被検眼Ｅに導光する。光学部材２３には、例えば、全反射ミラー、ハーフミラー、プリズム等が用いられる。
【００３０】
図２に基づいて、視標呈示光学系２０の配置を説明する。ディスプレイ２１は、筐体２内の上方であって、かつ、被検者側に配置される。ディスプレイ２１は、画面が下方を向くように配置されており、視標光束を下方に向けて出射する。例えば、ディスプレイ２１は、図２に示すように、光軸Ｌ１の方向に視標光束を出射する。なお、ディスプレイ２１は、視標光束を真下に出射してもよいし、斜め下に出射してもよい。
【００３１】
凹面ミラー２２は、筐体２内の底部に配置される。凹面ミラー２２は、反射面が上方を向くように配置される。凹面ミラー２２は、ディスプレイ２１から出射された視標光束を上方に向けて反射する。例えば、凹面ミラー２２は、図２に示すように、光軸Ｌ２の方向に視標光束を反射する。なお、凹面ミラー２２は、視標光束を真上に反射してもよいし、斜め上に反射させてもよい。
【００３２】
凹面ミラー２２は、ディスプレイ２１からの視標光束を光学部材２３に向けて反射するために、凹面ミラー２２の光軸Ｏ１がディスプレイ２１の光軸Ｌ１（画面の法線方向）に対して傾斜するように配置されている。
【００３３】
光学部材２３は、筐体２内の上方であって、かつ、被検者から見てディスプレイ２１よりも奥側に配置される。光学部材２３は、凹面ミラー２２から反射された視標光束を被検眼Ｅに向けて反射させる。例えば、光学部材２３は、凹面ミラー２２における光軸Ｌ１の反射軸である光軸Ｌ２上に配置されている。例えば、光学部材２３は、図２に示すように、被検眼Ｅに視標を呈示するための光軸Ｌ３の方向に視標光束を反射する。
【００３４】
上記の説明ように、ディスプレイ２１から凹面ミラー２２に対して視標を投光するために設定された光軸Ｌ１と、被検眼Ｅに対して正面方向から視標を投影するために設定された光軸Ｌ３は垂直な位置関係になる。なお、垂直な位置関係とは、光軸Ｌ１と光軸Ｌ３とのなす角度が９０°の場合に限らず、多少ずれた位置でもよい。例えば、９０°から５°程度ずれてもよい。
【００３５】
なお、光学部材２３は、ディスプレイ２１から出射される視標光束の光軸Ｌ１から外れた位置に配置されることが好ましい。これは、光学部材２３によってディスプレイ２１からの視標光束が遮られないようにするためである。
【００３６】
なお、ディスプレイ２１が光学部材２３よりも被検者側に配置されることによって、光学部材２３によって制限される視野が小さくて済む。仮に、図４に示すように、光学部材２３がディスプレイ２１よりも被検者側に配置されていた場合、ディスプレイ２１を光学部材２３よりも被検者側に配置する場合に比べて、上下方向に対する傾斜角度θを大きくしなければならない。これによって、視標光束の光路が光学部材２３によって制限される範囲が大きくなってしまう。したがって、ディスプレイ２１から出射された視標光束が光学部材２３によって遮られることを防ぐためには、ディスプレイ２１を光学部材２３に対して遠ざけ、凹面ミラー２２に対する視標光束の入射角度α（または反射角度α´）を大きくする必要がある。凹面ミラー２２に対する視標光束の入射角度αを大きくすると、視標の歪み増加、視標呈示光学系２０のスペース増加等の問題が生じる。以上のことから、ディスプレイ２１を光学部材２３よりも被検者側に配置することが好ましい。
【００３７】
なお、ディスプレイ２１が光学部材２３よりも被検者側に配置されることによって、ディスプレイ２１から出射された視標光束が凹面ミラー２２へ入射して反射するときの入射角度αを小さくしてもよい。これによって、凹面ミラー２２による検査視標の歪みを軽減させてもよいし、装置全体の前後幅を小さくしてもよい。
【００３８】
なお、本装置１は、光学部材２３を駆動させるための駆動ユニット４０を備えてもよい。駆動ユニット４０は、例えば、ディスプレイ２１の視標光束を妨げない範囲で光学部材２３を駆動させてもよい。例えば、制御部７０は、駆動ユニット４０によって光学部材２３を駆動することによって、被検眼Ｅに視標を呈示するための光軸Ｌ３の方向を変化させてもよい。これによって、被検者ごとに被検眼Ｅの高さが異なる場合でも、光軸Ｌ３の方向を変化させることによって、被検眼Ｅに対して的確に視標光束を導光できる。駆動ユニット４０は、例えば、光学部材２３を被検者に対して前後、上下に駆動させてもよいし、水平軸回りに回転させてもよい。
【００３９】
駆動ユニット４０の一例として、光学部材２３を水平軸回りに回転させる構成について説明する。この場合、例えば、駆動ユニット４０は、駆動部４１、回転シャフト４２等を備えてもよい。駆動部４１は、回転シャフト４２を水平軸Ｌ４回りに回転させる。回転シャフト４２は、光学部材２３と連結されており、駆動部４１の回転によって光学部材２３を水平軸Ｌ４回りに回転させる。制御部７０は、被検眼Ｅの高さに応じて駆動部４１の回転を制御し、光学部材２３の角度を調整してもよい。制御部７０は、駆動ユニット４０によって光学部材２３の角度を調整することによって、光軸Ｌ３が被検眼Ｅに向かうように調整してもよい。なお、被検眼Ｅの高さは、検者の操作に基づいてコントローラ９０から入力されてもよいし、制御部７０が検眼ユニット１００の検眼窓の高さを被検眼Ｅの高さとして検出してもよい。
【００４０】
＜遠近切換部＞
本装置１は、遠近切換部３０を備えてもよい。遠近切換部３０は、遠用検査と近用検査とで、ディスプレイ２１によって表示する視標の呈示位置を切り換えることができる。遠近切換部３０は、例えば、遠用保持部３１と、近用保持部３２を備えてもよい。遠用保持部３１は、例えば、視標呈示光学系２０によって遠用検査をするための視標の呈示位置に、ディスプレイ２１を着脱可能に保持する。近用保持部３２は、近用検査をするための視標の呈示位置にディスプレイ２１を着脱可能に保持する。遠近切換部３０は、ディスプレイ２１を遠用保持部３１と近用保持部３２とで入れ替えることによって、視標の呈示位置を遠用と近用とで切り替えることができる。
【００４１】
遠用保持部３１は、例えば、筐体２の内部にディスプレイ２１を着脱可能に保持する。遠用保持部３１は、例えば図５に示すように、ディスプレイ２１と嵌合する形状であってもよい。検者は、ディスプレイ２１を左右方向にスライドさせることによって、遠用保持部３１に着脱することができる。
【００４２】
近用保持部３２は、例えば、筐体２の外部にディスプレイ２１を着脱可能に保持する。近用保持部３２は、例えば、図５に示すように、保護パネル１０に固定されてもよい。近用保持部３２は、例えば、ディスプレイ２１と嵌合する形状であってもよい。検者は、ディスプレイ２１を左右方向にスライドさせることによって、近用保持部３２に着脱することができる。なお、遠用保持部３１、近用保持部３２は、スライド式でなくともよく、バネ等の弾性体の弾性力によってディスプレイ２１を挟み込むタイプでもよい。
【００４３】
なお、本装置１は、さらに近用調節部３３を備えてもよい。近用調節部３３は、近用検査を行う際、ディスプレイ２１の位置を調節するために設けられる。例えば、近用調節部３３は、前後移動部３４を設けてもよい。
【００４４】
前後移動部３４は、ディスプレイ２１の位置を被検者の前後方向に移動させてもよい。例えば、前後移動部３４は、近用保持部３２を被検者の前後方向に移動させることによって、近用保持部３２に保持されるディスプレイ２１の位置を移動させてもよい。ディスプレイ２１の位置が被検者の前後方向に移動されることによって、近用検査時の視標の呈示距離を変更することができる。例えば、前後移動部３４は、被検眼Ｅに対するディスプレイ２１の前後方向の距離を１０〜７０ｃｍ程度の近距離の間で移動できてもよい。さらに、前後移動部３４は、被検眼Ｅに対するディスプレイ２１の前後方向の距離を近距離から中距離（例えば、１ｍ前後）に変更できてもよい。
【００４５】
前後移動部３４は、例えば、図６および図７に示すように、スライドアーム３５とガイド溝３６等を備える。例えば、スライドアーム３５は、ガイド溝３６に沿って近用保持部３２を被検者の前後方向に移動させる。
【００４６】
例えば、ガイド溝３６は、保護パネル１０の裏面に備わってもよい。例えば、ガイド溝３６は、保護パネル１０の裏面の左右にガイド溝３６を備えてもよい。
【００４７】
例えば、スライドアーム３５はＵ字型であり、二手に分かれた方の端部は、左右のガイド溝３６と連結される。スライドアーム３５の他端側には、近用保持部３２が連結される。
【００４８】
近用検査を行う場合、例えば、検者は、保護パネル１０の上部に設けられた回転軸Ｌ５を回転中心として手前に開く。保護パネル１０の上部の回転軸Ｌ５は、例えば、図示無き角度維持機構が構成され、保護パネル１０を所望の角度に開いた状態で維持されてもよい。角度維持機構としては、例えば、ラチェット機構等が用いられてもよい。
【００４９】
例えば、検者は、保護パネル１０を水平に起こし、筐体２内部の遠用保持部３１からディスプレイ２１を取り出す。そして、スライドアーム３５に連結される近用保持部３２にディスプレイ２１を装着する。次いで検者は、スライドアーム３５をガイド溝３６に沿って前後方向に移動させることによって、ディスプレイ２１の位置を変更してもよい。
【００５０】
さらに近用調節部３３は、例えば、上下移動部３７を設けてもよい。上下移動部３７は、例えば、ディスプレイ２１の位置を被検者の上下方向に移動させてもよい。例えば、上下移動部３７は、近用保持部３２を被検者の上下方向に移動させることによって、近用保持部３２に保持されるディスプレイ２１の位置を移動させてもよい。ディスプレイ２１の位置が被検者の上下方向に移動されることによって、近用検査時の視標の呈示高さを変更することができる。これによって、被検者の視線に対応する高さに視標を呈示することができる。
【００５１】
上下移動部３７は、例えば、図６および図７に示すように、スライドアーム３５に備わってもよい。例えば、上下移動部３７はスライドアーム３５を被検者の上下方向に伸縮させる。上下移動部３７には、例えば、テレスコピック、リンク等の伸縮機構が設けられてもよい。スライドアーム３５が上下方向に伸縮されると、スライドアーム３５に連結された近用保持部３２の位置が上下方向に移動する。このように、上下移動部３７は、近用保持部３２を上下方向に移動させることによって、近用保持部３２に保持されるディスプレイ２１の位置を被検者の上下方向に移動させてもよい。
【００５２】
さらに移動部は、例えば、角度調節部３８を備えてもよい。角度調節部３８は、例えば、被検者の上下方向におけるディスプレイ２１の角度を変更する。例えば、角度調節部３８は、被検者の上下方向における近用保持部３２の角度を変更させる。これによって、角度調節部３８は、近用保持部３２に保持させるディスプレイ２１の画面の角度を変更してもよい。角度調節部３８は、ディスプレイ２１の角度を変更することによって、被検者がディスプレイ２１を観察するときの視線方向を調整することができる。したがって、例えば、被検者に下方視させた状態で近用検査を行うことができる。
【００５３】
角度調節部３８は、例えば、図６及び図７に示すように、スライドアーム３５と近用保持部３２との間に設けられ、スライドアーム３５に対して近用保持部３２を回転可能に連結してもよい。角度調節部３８は、例えば、水平方向に延びる回転シャフト３９を備えてもよい。角度調節部３８は、回転シャフト３９を回転させることによって、近用保持部３２を水平軸Ｌ６回りに回転させ、上下方向における近用保持部３２の角度を変更してもよい。
【００５４】
なお、遠近切換部３０は、遠用保持部３１と近用保持部３２を兼用する構成であってもよい。例えば、図８に示すように、遠用検査と近用検査で兼用される保持部３０ａが遠近切換アーム３０ｂによって遠用の呈示位置から近用の呈示位置に切り換えられる構成であってもよい。これによって、ディスプレイ２１の位置を遠用検査時の呈示位置と近用検査時の呈示位置とで切り換えてもよい。
【００５５】
＜検査手順＞
以上のような視標呈示装置１を用いた視機能検査について簡単に説明する。検者は、検眼ユニット１００の検眼窓を覗くように被検者に指示する。
【００５６】
遠用検査を行う場合、遠用保持部３１に保持されたディスプレイ２１から凹面ミラー２２に向けて視標光束が出射される。そして、凹面ミラー２２によって反射された視標光束は、さらに光学部材２３によって反射されて被検眼Ｅに呈示される。被検者は、検眼ユニット１００を通して視標を観察し、遠用の視機能検査を行う。制御部７０は、コントローラ９０によって入力される遠用視標の選択信号に基づいてディスプレイ２１の表示を制御し、遠用視標をディスプレイ２１に表示させる。
【００５７】
近用検査を行う場合、検者は、例えば、保護パネル１０を手前に開く。そして検者は、筐体２の内部の遠用保持部３１からディスプレイ２１を抜き出す。検者は、取り出したディスプレイ２１を近用保持部３２に装着する。これによって、ディスプレイ２１は近用保持部３２に保持され、被検眼Ｅに対して近距離（例えば、４０ｃｍ）だけ離れた位置に配置される。制御部７０は、コントローラ９０によって入力される近用視標の選択信号に基づいてディスプレイ２１の表示を制御し、近用視標をディスプレイ２１に表示させる。なお、検者は、前後移動部３４、上下移動部３７、角度調節部３８によって近用保持部３２を移動させ、ディスプレイ２１の位置を調整してもよい。
【００５８】
以上の説明のように、本装置１は、ディスプレイ２１と凹面ミラー２２を上下方向に配置することよって、装置の横幅の厚さを小さくしてもよい。これによって、省スペースの視標呈示装置を提供してもよい。
【００５９】
なお、本装置１は、ディスプレイ２１と凹面ミラー２２を筐体２の内部に収納する。このように、視標呈示光学系２０が筐体２の内部にまとめられることによって、検眼テーブル５０または検眼ユニット１００等から独立した構成にしてもよい。したがって、汎用の検眼テーブルなどに設置可能な自立型の視標呈示装置としてもよい。
【００６０】
なお、以上の説明のように、ディスプレイ２１が光学部材２３よりも被検者側に配置されることによって、ディスプレイ２１を本装置１の被検者側に着脱することが容易になる。したがって、近用検査の際にディスプレイ２１を手前に引き出して被検者の前方に配置しやすい。
【００６１】
なお、本装置１は、抑制ユニット４を備えてもよい。抑制ユニット４は、例えば、例えば、凹面ミラー２２を埃などによって汚れることを抑制してもよい。抑制ユニット４は、例えば、遮蔽部材４ａを備えてもよい。本実施例の遮蔽部材４ａは、凹面ミラー２２の上方に配置される。遮蔽部材４ａが凹面ミラー２２の上方に配置されることによって、凹面ミラー２２に埃等が付着して、凹面ミラー２２が汚れることが低減される。なお、抑制ユニット４は、例えば、図示無き駆動部によって、遮蔽部材４ａを駆動させてもよい。これによって、ディスプレイ２１によって視標を呈示するときは、駆動部によって遮蔽部材４ａを退避さてもよい。
【００６２】
なお、本装置１は、掃除窓５を備えてもよい。掃除窓５は、例えば、遮蔽部材４ａに付着した埃などを清掃するために筐体２に設けられる。例えば、掃除窓５には扉５ａが設けられ、検者は、扉５ａによって掃除窓５を開閉できる。検者は、掃除窓の扉５ａを開けることによって、掃除窓５から筐体２内の遮蔽部材４ａを容易に清掃することができる。検者は、清掃終了後に掃除窓５の扉５ａを閉めることによって、筐体２内に埃などが進入することを低減できる。
【００６３】
なお、以上の説明において、本装置１は被検者の上下方向に延びる形状であると説明したが、これに限らない。例えば、本装置１は被検者の左右方向に延びる形状であってもよい。この場合、筐体２は、被検者の左右方向に延びる形状であってもよい。ディスプレイ２１と凹面ミラー２２は、被検者の左右方向に配置されてもよい。例えば、ディスプレイ２１凹面ミラー２２に向けて視標光束を出射するときの光軸Ｌ１が被検者の左右方向に延びる構成であってもよい。このような構成によっても、本装置１の前後幅を小さくできる。
【００６４】
なお、上記構成において、凹面ミラー２２の曲面形状（倍率）に応じて、視標光束の凹面ミラー２２への入射角と凹面ミラー２２から反射される際の反射角を調整するとよりよい。凹面ミラー２２の倍率が変更されることによって、歪の発生する入射角及び反射角も変化する。例えば、本実施例の凹面ミラー２２よりも倍率の高い凹面ミラー２２を用いる場合には、入射角と反射角がより鋭角となるように調整する必要がある。
【００６５】
なお、凹面ミラー２２は、球面に限定されない。例えば、非球面ミラー、自由曲面のミラー等を用いる構成としてもよい。
【００６６】
なお、ディスプレイ２１からの視標光束を凹面ミラーに入射させるための光学配置としては、前述のように、ディスプレイ２１からの視標光束を凹面ミラー２２に直接入射させるものでもよいし、光学部材を介して凹面ミラー２２に入射させるものでもよい。例えば、図９（ａ）に示すように、光学部材２３を介してもよい。この場合、例えば、ディスプレイ２１から出射された視標光束は、光学部材２３によって反射され、凹面ミラー２２によって反射された後、再び光学部材２３によって反射され、被検眼に投影される。
【００６７】
例えば、図９（ａ）のような光学配置にした場合、ディスプレイ２１の表示面は被検者に対して反対向きになる。この場合、ディスプレイ２１に表示された視標を被検者が直接見ることが抑制されるため、的確な検査を行うことができる。さらに、ディスプレイ２１からの視標光束が被検眼Ｅに直接投影されないようにするために、ディスプレイ２１を上方向に遠ざけて配置する必要がなくなり、装置１の上下方向のサイズが大きくなることを抑制できる。したがって、装置１を挟んで検者と被検者とを対面させることが可能となり、装置１の設置における自由度が増す。
【００６８】
また、図９（ａ）のような光学配置にした場合、図２または図４に示す配置に比べ、ディスプレイ２１からの視標光束の光路が光学部材２３によって遮られることが少ないので、被検眼Ｅにケラレのない視標光束を投影できる。さらに、視標光束のケラレを抑制するために、ディスプレイ２１と光学部材２３との距離を大きくする必要がないので、装置１の前後方向の幅を小さくすることができる。
【００６９】
なお、図９（ａ）のような光学配置にした場合、被検者と視標呈示装置１との距離を小さくすることができるので、視標呈示装置１と検眼ユニット１００を一体型とすることで、持ち運び可能な検眼システムとしても運用できる。
【００７０】
なお、図９（ａ）のような光学配置の場合でも、前述のような遠近切換部３０を設け、遠用検査と近用検査を切り換えるようにしてもよい。例えば、遠近切換部３０は、ディスプレイ２１を回転可能に保持する回転保持部１３１を備えてもよい。例えば、回転保持部１３１は、駆動部１３２の駆動によって回転する。例えば、図９（ｂ）に示すように、遠近切換部３０は回転保持部１３１を回転させることによって、ディスプレイ２１からの視標光束が、光学部材２３によって反射されて、凹面ミラー２２を介さずに被検眼Ｅに投影されるようにしてもよい。このように、遠近切換部３０は、凹面ミラー２２を介して被検眼Ｅに視標光束を投影させる状態と、凹面ミラー２２を介さずに被検眼Ｅに視標光束を投影させる状態とで、切り換えるようにしてもよい。
【００７１】
なお、近用検査を行う場合に、視標の呈示距離を任意の呈示距離に変更する構成を設けてもよい。例えば、遠近切換部３０は、近用検査を行う状態において、ディスプレイ２１をディスプレイ２１の光軸方向（図９（ｂ）の状態では上下方向）に移動させる移動部１３３を備えてもよい。これによって、近用検査をする際の視標の呈示距離を変更することができる。
【００７２】
なお、本装置１は、近用検査を行う場合に、ディスプレイ２１からの視標光束が被検眼に直接投影されないようにするために、被検眼Ｅとディスプレイ２１との間に遮蔽部を設けてもよい。例えば、本装置１は、図９（ｂ）に示すように、近用検査の際にディスプレイ２１が移動されることによってディスプレイ２１の表示面の方向が変化した場合、被検眼とディスプレイ２１との間に配置される遮蔽部１３４を備えてもよい。例えば、本装置１は、遮蔽部１３４を設けることによって、ディスプレイ２１から被検眼Ｅに直接向かう視標光束を遮断してもよい。これによって、被検者は、ディスプレイ２１の視標を直接見ることなく、光学部材２３によって反射された視標光束によって適切に検査を行える。なお、遮蔽部１３４は筐体２と兼用されてもよい。例えば、遮蔽部１３４は、筐体２に形成されてもよい。
【００７３】
なお、遠用検査と近用検査との間でディスプレイ２１の位置を切り換える方法は、上記の方法に限らない。例えば、遠近切換部３０は、スライド機構を備え、ディスプレイ２１を遠用検査時の呈示位置から近用検査時の呈示位置にスライド移動させてもよい。例えば、図１０（ａ）に示すように、遠近切換部３０は、保持部１３５と、スライド部１３６を備えてもよい。保持部１３５は、例えば、ディスプレイ２１を保持する。スライド部１３６は、例えば、保持部１３５を遠用検査時の呈示位置と近用検査時の呈示位置とで移動させる。例えば、図１０（ｂ）に示すように、保持部１３５によって保持されたディスプレイ２１は、スライダ部１３６によって保持部１３５とともに移動される。このように、遠近切換部３０は、ディスプレイ２１をスライドさせることによって移動させ、遠用検査と近用検査とで呈示位置を切り換えてもよい。
【００７４】
もちろん、ディスプレイ２１の位置は、図９、１０に示す位置に限らない。例えば、ディスプレイ２１は、図１１に示すように、被検者が保護パネル１０を介して視標を観察するときの視線より上側に配置されていてもよい。例えば、図１１に示す場合も、ディスプレイ２１からの視標光束は、光学部材２３によって反射された後、凹面ミラー２２によって反射され、再び光学部材２３によって反射され、被検眼に投影される。
【００７５】
なお、同一の筐体内にディスプレイ、凹面ミラー、光学部材が設置された構成を例に挙げて説明したがこれに限定されない。例えば、ディスプレイ、凹面ミラー、光学部材のうち、少なくともいずれかが第１の筐体に配置され、これらの部材のうち、その他が第１の筐体とは異なる第２の筐体に配置されてもよい。または、ディスプレイ、凹面ミラー、光学部材のうち、少なくともいずれかが第１の筐体に配置され、これらの部材のうち、その他が第１の筐体とは異なる位置に配置されてもよい。例えば、ディスプレイ２１は、凹面ミラー２２と光学部材２３とが収納される筐体とは異なる位置に設けられてもよい。
【符号の説明】
【００７６】
１  視標呈示装置
２  筐体
３  呈示窓
４  抑制ユニット
５  掃除窓
２０  視標呈示光学系
２１  ディスプレイ
２２  凹面ミラー
２３  光学部材
４０  駆動ユニット
５０  検眼テーブル
１００  検眼ユニット
１３１  回転保持部
１３２  駆動部
１３３  移動部
１３４  遮蔽部
１３５  保持部
１３６  スライド部
【図１】
0006582536.tif 000002
【図２】
0006582536.tif 000003
【図３】
0006582536.tif 000004
【図４】
0006582536.tif 000005
【図５】
0006582536.tif 000006
【図６】
0006582536.tif 000007
【図７】
0006582536.tif 000008
【図８】
0006582536.tif 000009
【図９】
0006582536.tif 000010
【図１０】
0006582536.tif 000011
【図１１】
0006582536.tif 000012